(57)【要約】    【課題】  通路にフィルター等を不用とする空調機を提供する。    【解決手段】  吹出口３には、風の吹出す方向を可変する為のルーバー10が設けられており、乾燥空気を送出する際に開放し、乾燥空気の流れを整流する。ルーバー10は、梯子状に空間が仕切られた枠部材11と、当該空間に収納された添加手段としてのビタミンユニット12とから構成される。枠部材11ひいてはルーバー10の天板13を設けた反対側の面（吹出口３に望む対向面）では、ビタミンユニット12が露出するようになっている。ビタミンユニット12は多孔質のセラミックからなり、当該セラミックに抗酸化作用のある例えばビタミンＣやビタミンＣ誘導体などを含浸させて形成される。【選択図】  図４
2006170531.tif 000002
【特許請求の範囲】
【請求項１】
流体の流れを整流する整流手段を備えた空調機において、前記整流手段から前記流体に抗酸化物質を添加する添加手段を設けたことを特徴とする空調機。
【発明の詳細な説明】
【技術分野】
【０００１】
本発明は、流体の流れを整流する空調機に関する。
【背景技術】
【０００２】
従来の空調機では、室内の空気を加熱・冷却・加湿・除湿などの処理を施したのちに、室内に放出し、人間に対して快適な環境をつくるものであった。
【０００３】
近年、その機能には、マイナスイオンの放出（例えば特許文献１）や抗酸化機能を有した物質などを付加させることが多くなっている。
【０００４】
抗酸化機能を有する物質を付加させる空調機としては、本願出願人が先に出願した加湿器がある（特願２００４−２１９９４７）。この加湿器では、加湿流体と共に抗酸化物質などを放出するために、抗酸化物質を含浸させたフィルター状のものを通路に設置し、フィルター内を通した流体に抗酸化物質を含ませる手法がとられている。
【特許文献１】特開２００１−３３８７４４号公報
【発明の開示】
【発明が解決しようとする課題】
【０００５】
しかしながら、上記従来の空調機の場合は、風が前記フィルターを通過する際に、圧力損失を生じ、風量の低下や、騒音の増加を伴うものであり、それら欠点の改善が求められていた。
【０００６】
そこで本発明は上記問題点に鑑み、通路にフィルター等を不用とする空調機を提供することを目的とする。
【課題を解決するための手段】
【０００７】
本発明における請求項１の空調機では、整流手段に抗酸化物質の放出機能を持たせていることにより、通路にフィルター等を設けなくてもよいため、抗酸化機能の流体を放出する際に風量の低下がない。
【発明の効果】
【０００８】
本発明の請求項１によると、通路にフィルター等を設けることなく抗酸化機能を付加することができるため、風量を増加させる為に必要なファン用の電力の増加がなく、騒音の増加もない。
【発明を実施するための最良の形態】
【０００９】
以下、添付図面を参照しながら、本発明における空調機の好ましい実施例を説明する。
【００１０】
図１は、本発明における空調機の一例である除湿機の外観図であり、１は縦長箱状の除湿機の本体であって、この本体１の側面および背面上方寄りには空気を取り込むための吸込口２が設けられると共に、本体１の上部前方には流体である乾燥空気を送出する吹出部としての吹出口３が設けられる。本体１の一側部に形成した開口部４には、透明樹脂製の貯水タンク５が着脱自在に設けられる。６は、例えば複数のＬＥＤや各種スイッチなどを備えて構成される表示・操作パネルである。前記吹出口３には、乾燥空気を送出する際に開放するルーバー10が設けられている。
【００１１】
図２は、本体１の内部に設けられる冷凍サイクル機構21の構成を模式的に示したものである。同図において、冷凍サイクル機構21は、冷媒を循環（流通）する圧縮部としてのコンプレッサ22に、冷媒中の熱を放出する凝縮部としてのコンデンサ23と、ドライヤ24と、膨張部としてのキャピラリチューブ25と、空気中の水分を凝縮する熱交換器に相当する蒸発部としてのエバポレータ26とを順次連結して構成されると共に、エバポレータ26からコンプレッサ22に至る経路と並列に、冷凍サイクル切換部としての二方弁27が設けられている。また、28はエバポレータ26に設けられた着霜検出手段としての温度センサで、この温度センサ28によりエバポレータ26の着霜を検出すると、前記二方弁27を開くように構成している。そして、二方弁27が閉じた状態では、コンプレッサ22→コンデンサ23→ドライヤ24→キャピラリチューブ25→エバポレータ26→コンプレッサ22の経路で冷媒が循環する冷却用経路としての冷却用循環路29が形成される。また、二方弁27が開くと、コンプレッサ22→二方弁27→エバポレータ26→コンプレッサ22に至る加熱用経路としての加熱用循環路30が形成される。前記冷凍サイクル機構21はその他に、外部からの空気をエバポレータ26に送り込む送風手段としての送風機31が設けられる。
【００１２】
図３は、本体１の内部に組み込まれるコントローラ35とその周辺の構成をあらわしたブロック図である。同図において、コントローラ35は制御手段36や送風機回転速度調節手段37を備えたマイクロコンピュータ（以下、マイコンという）38と、前述の表示・操作パネル６に設けられる操作状態などを表示する表示手段39、および各種ボタンからなる操作手段40を備えて構成される。制御手段36は、前記エバポレータ26の温度を検出する温度センサ28や室温センサ42からの各温度情報と、操作手段40からの操作信号と、コンプレッサ22を流れる負荷電流を検出する負荷電流検出手段43からの検出情報と、内蔵するタイマ（図示せず）の時間情報と、周囲の湿度を検知する湿度センサ44からの湿度情報とに基づいて、送風機31の回転速度と表示手段39の表示を制御する機能を備えている。また送風機回転速度調節手段37は、制御手段36からの制御信号に基づいて、送風機31の回転速度を例えば強風量と弱風量のいずれかに調節するものである。
【００１３】
図４を参照しながら、ルーバー10の構成について詳述する。
【００１４】
吹出口３には、風の吹出す方向を可変する為のルーバー10が設けられており、このルーバー10は、乾燥空気を送出する際に開放され（開かれ）、乾燥空気の流れを整流する。ルーバー10は、梯子状に空間が仕切られた枠部材11と、当該空間に収納された添加手段としてのビタミンユニット12とから構成される。枠部材11は、ビタミンユニット12の本体１の外側となる面（使用者から見える面）が露出しないように、扁平板状の天板13で覆われている。言い換えると、枠部材11ひいてはルーバー10の天板13を設けた反対側の面（吹出口３に望む対向面）では、ビタミンユニット12が露出するようになっている。なお、枠部材11と天板13とは熱可塑性樹脂により一体成形されている。ビタミンユニット12は多孔質のセラミックからなり、当該セラミックに抗酸化作用のある例えばビタミンＣやビタミンＣ誘導体などを含浸させて形成される。この多孔質のセラミックは、連続気泡構造となっており、表面だけでなく内部にまでビタミンＣが含浸されている。なお、ビタミンユニット12を抗酸化物質を含浸させた段ボール風のコルゲートやスポンジなどを用いても良い。
【００１５】
次に、上記構成における作用を説明する。操作手段40を操作して除湿運転の開始を指示すると、制御手段36はコンプレッサ22を駆動する信号を出力すると共に、所定の回転速度で送風機31を駆動させる信号を、送風機回転速度調節手段37に出力する。これにより、コンプレッサ22および送風機31を駆動して、強風量または弱風量のいずれかの除湿運転を開始する。
【００１６】
この除湿運転時には、制御手段36からの制御信号により二方弁27が閉じているので、コンプレッサ22により圧縮された冷媒が、二方弁27を通らず冷却用循環路29を通って循環する。すなわち、冷媒はコンプレッサ22からコンデンサ23に入り、ここで冷媒中の熱を放出した後、ドライヤ24からキャピラリチューブ25に入って膨張される。その後、エバポレータ26において冷媒は蒸発すると共に、エバポレータ26の熱交換用フィン52から熱を奪って、エバポレータ26の温度を低下させ、コンプレッサ22に再び戻る。その際、送風機31により本体１内に吸い込んだ室内の空気がエバポレータ26に触れて冷却除湿され、この冷却した空気がコンデンサ23で加温されて、本体１の吹出口３から外部に乾燥空気として排出される。
【００１７】
このとき、吹出口３から吹出される乾燥空気は、ルーバー10に設けられた多孔質セラミック製のビタミンユニット12表面を流れ、ビタミンユニット12に含まれた抗酸化物質であるビタミンＣ等が微量に含んだ状態の空気となって吹出されており、屋内の物質の酸化を防止する効果がある。ルーバー10にビタミンユニット12を設けることにより、除湿機１内の通路にフィルター等を有しないため、吹出口３から吹出される乾燥空気に圧力損失がなく、風量の低下・騒音の増加などがない。
【００１８】
以上のように本実施例では、流体の流れを整流する整流手段としてのルーバー10を備えた空調機において、ルーバー10から前記流体に抗酸化物質を添加する添加手段としてのビタミンユニット12を設けている
このようにすると、ルーバー10に抗酸化物質の放出機能を持たせていることにより、通路にフィルター等を設けなくてもよいため、抗酸化機能の空気を放出する際に風量の低下がない。従って、通路にフィルター等を設けることなく抗酸化機能を付加することができるため、風量を増加させる為に必要なファン用の電力の増加がなく、騒音の増加もない。
【００１９】
なお、本発明は、上記実施例に限定されるものではなく、本発明の趣旨を逸脱しない範囲で変更可能である。ルーバー10が適用可能な空調機としては、除湿機以外にも例えば加湿器、エアコン、空気清浄機など種々のものがある。また、ルーバー10全体を、ビタミンユニット12と同じ抗酸化物質を含浸させた多孔質のセラミックなどで構成してもよい。
【図面の簡単な説明】
【００２０】
【図１】本発明の第１実施例における除湿機の斜視図である。
【図２】同上、冷凍サイクル機構を模式的にあらわした説明図である。
【図３】同上、電気的構成をあらわしたブロック図である。
【図４】同上、除湿機のルーバーの構成を示す拡大斜視図である。
【符号の説明】
【００２１】
10  ルーバー（整流手段）
12  ビタミンユニット（添加手段）
【図１】
2006170531.tif 000003
【図２】
2006170531.tif 000004
【図３】
2006170531.tif 000005
【図４】
2006170531.tif 000006